(57)【要約】      （修正有）【課題】発声物体を支える発声装置を発音物体の外に置く、ファイル発声の二重プラットホームを提供する。【解決手段】ファイル情報プラットホーム２の内部で、ファイル発声チップ４及び対応する導線１１が導電性接続ポート３に接続される。また、音声起動プラットホーム６の内部で、二次電池９を導線１０を介して拡声器７と接続ポート８及びスイッチに接続する。接続ポート３と接続ポート８との協力によりファイル発声プラットホーム２と音声起動プラットホーム６とを接続して、スイッチを押すと、全部の回路が導通状態になる。発声物体１をファイル情報プラットホーム２の上に置き、スイッチを押すと、この発声物体１に関する情報を話し始める。【選択図】図１
0003170747.tif 000002
【実用新案登録請求の範囲】
【請求項１】
ファイル情報プラットホーム（２）及び音声起動プラットホーム（６）を有するファイル発声二重プラットホームにおいて、
前記音声起動プラットホーム（６）の上に、前記ファイル情報プラットホーム（２）を入るためのスロット（５）が設けられ、
前記ファイル情報プラットホーム（２）の内にファイル発声チップ（４）と接続ポートが設けられ、ファイル発声チップが導線（１１）を介して接続ポートに接続され、前記音声起動プラットホーム（６）の内に電源（９）と拡声器が設けられて、前記音声起動プラットホーム（６）の内に前記ファイル情報プラットホーム（２）の内に設けた接続ポートに応じる接続ポートも設けられて、前記電源（９）が、導線（１０）を介して、それぞれ拡声器と接続ポートに接続される
ことを特徴とするファイル発声二重プラットホーム。
【請求項２】
前記音声起動プラットホーム（６）の上に発声と回転を制御するボタンを設けられる、ことを特徴とする請求項１に記載のファイル発声二重プラットホーム。
【請求項３】
前記ファイル発声チップ（４）をファイル情報プラットホーム（２）の中央位置に設ける
ことを特徴とする請求項１に記載のファイル発声二重プラットホーム。
【請求項４】
それぞれ前記ファイル発声チップ（４）の左側と右側に一つの接続ポート（３）が設けれれる
ことを特徴とする請求項１または３に記載のファイル発声二重プラットホーム。
【請求項５】
それぞれ前記ファイル発声チップ（４）の前側と背側に、接続ポートが設けられる
ことを特徴とする請求項１または３に記載のファイル発声二重プラットホーム。
【請求項６】
前記音声起動プラットホーム（６）における電源（９）を、前記スロット（５）の真下に設ける
ことを特徴とする請求項１に記載のファイル発声二重プラットホーム。
【請求項７】
それぞれ前記電源（９）の左側と右側に、拡声器（７）が設けられる
ことを特徴とする請求項１または６に記載のファイル発声二重プラットホーム。
【請求項８】
それぞれ前記電源の前側と背側に、拡声器が設けられる
ことを特徴とする請求項１または６に記載のファイル発声二重プラットホーム。
【考案の詳細な説明】
【技術分野】
【０００１】
本考案は、発声の電子技術を関し、特に、発声物体を支える発声装置を発声物体の外部に置くファイル発声プラットホームに関する。
【背景技術】
【０００２】
従来の市販される発声物体（例えば、スピーカ）は、穴を開けることにより発声装置を物体の内部に置くことによって働く。しかし、これは支えられた物体の設計を妨げて、その原因が発声装置を物体の内部に取り付ける必要があることにあり、そのために、支えられた物体には穴・差込み口・ボルトなどがあり、美観を非常に損ね。また、従来の閉ループ発声装置は、十分なスペースを提供して全体の発声装置を収納する大きい物体のみに適用する。前記従来技術の欠陥を改善する。
【考案の概要】
【考案が解決しようとする課題】
【０００３】
本考案の目的は、前記技術の欠陥に対して、ファイル発声二重プラットホームを提供して、このファイル発声二重プラットホームは穴を開けることにより発声装置を物体の内部に置く必要がない、発声物体の全体形象を効果的に保護する。
【課題を解決するための手段】
【０００４】
本考案の技術的解決法は、ファイル情報プラットホーム及び音声起動プラットホームを有することを特徴とするファイル発声二重プラットホームであり、前記音声起動プラットホームの上にファイル情報プラットホームを入るスロットが設けられて、前記ファイル情報プラットホームの内にファイル発声チップ及び少なくとも一つの接続ポートを設けて、前記発声チップが導線を介して接続ポートに接続して、前記音声起動プラットホームの内に電源及び少なくとも一つの拡声器が設けられて、前記音声起動プラットホームの内にファイル情報プラットホームの内に設けられた接続ポートに応じる接続ポートが設けれられて、前記電源が導線を介してそれぞれ拡声器と接続ポートに連続する。
【０００５】
前記構造による本考案によって、前記音声起動プラットホームの上に発声と回転を制御するボタンがさらに設けられる。
前記構造による本考案によって、前記ファイル発声チップをファイル情報プラットホームの中央位置に設ける。
前記構造による本考案によって、それぞれ前記ファイル発声チップの左側と右側に一つの接続ポートが設けられる。
前記構造による本考案によって、それぞれ前記ファイル発声チップの前側と背側の一つの接続ポートが設けられる。
前記構造による本考案によって、前記音声起動プラットホームにおける電源をスロットの真下に設ける。
前記構造による本考案によって、それぞれ前記電源の左側と右側に一つの拡声器が設けられる。
前記構造による本考案によって、それぞれ前記電源の前側と背側に一つの拡声器が設けられる。
【０００６】
前記構造による本考案によって、その有益な効果は、本考案がいくらかの支えられた発声物体が大小にかかわらず自分のファイル声音を持つことができるようになることにある。本考案は、いくつかの支えれれた発声物体の外観設計が声音ファイル情報を加えることにより変化するできない。本考案は、ファイル発声チップとその部品と離すことにより発声物体のコストを効果的に減らす。本考案は、それぞれの支えれれた発声物体が一つの自部のファイル発声チップを持つプラットホームのみを必要とし、内部に拡声器装置と電池装置を持つ必要がない。本考案は、いくつかの自分のファイル発声チップを持つ物体に利用できる。本考案は、発声機能を持つ発声物体が内蔵電池を必要としないようになる。本考案は、電池と発声装置を発声物体に置くことを避けり、発声物体を廃棄する場合の内蔵電池装置の環境に対する汚染を減らす。
【図面の簡単な説明】
【０００７】
【図１】本考案の一実施例の構造図。
【考案を実施するための形態】
【０００８】
次に、添付の図面及び実施態様により本考案をさらに説明する。
図面１に示すように、本考案のファイル発声二重プラットホームは、ファイル情報プラットホーム２及び音声起動プラットホーム６を有することを特徴として、前記音声起動プラットホーム６の上にファイル情報プラットホーム２を入るスロット５が設けられて、前記ファイル情報プラットホーム２にファイル発声チップ４及び接続ポート３が設けれれて、前記ファイル発声チップ４がファイル情報プラットホーム２の中央位置に設けられて、それぞれ前記ファイル発声チップ４
の左側と右側に一つの接続ポート３が設けられて、前記ファイル発声チップ４が導線１１を介して接続ポート３に接続されて、前記音声起動プラットホーム６の内に電源９と拡声器７が設けられて、前記音声起動プラットホーム６における電源９をスロット５の真下に設けて、それぞれ前記電源９の左側と右側に一つの拡声器７が設けられて、前記音声起動プラットホーム６の内にファイル情報プラットホーム２の内に設けれれた接続ポート３に応じる接続ポート８がさらに設けれれて、前記電源９が導線１０を介してそれぞれ拡声器７と接続ポート８に接続して、前記音声起動プラットホーム６の上に発声と回転制御するボタンがさらに設けられる。
あるいは、それぞれ前記ファイル発声チップの前側と背側に一つの接続ポートが設けられて、あるいは、それぞれ前記電源の前側と后側に一つの拡声器が設けられる。
本考案の使用方法は、次の通りである：
【０００９】
まず、ファイル情報プラットホーム２の内部で、設計されたファイル発声チップ４及び応じる導線１１が導電性接続ポート３に接続される。そして、音声起動プラットホーム６の内部で、二次電池９を導線１０を介して拡声器７と接続ポート８及びスイッチに接続する。このように、全体のマイクロチップがスイッチを切る短絡状態にある。最後、接続ポート３と接続ポート８との協力によりファイル発声プラットホーム２と音声起動プラットホーム６とを接続すて、スイッチを押すとき全部の回路が接通状態にある。発声物体１を本考案の上に置く場合には、スイッチを押すと、発音してこの発声物体１に関する情報を話し、発声物体１が回転し始める。
【００１０】
以上の説明は、本考案の一実施例に関するもので、当業者であれば、本考案の種々の変形例も考えうる。しかし、それはいずれも本考案の技術的範囲に包含される。実用新案登録請求の範囲の構成要素の後に記載した括弧内番号は、図面の部品番号に対応し、考案の容易なる理解のために付したものであり、考案を限定的に解釈するためのものではない。同一番号でも明細書と実用新案登録請求の範囲に部品名は必ずしも同一ではない。これは上記した理由による。構成部品の数は特に断りのない限り、単数複数を問わない。「Ａ又はＢ」に関しては、Ａのみ、Ｂのみ、ならず、ＡとＢの両方を含むこともある。
【符号の説明】
【００１１】
１、       発声物体；２
２、       ファイル情報プラットホーム；
３、       接続ポート；
４、       ファイル発声チップ；
５、       スロット；
６、       音声起動プラットホーム；
７、       拡声器；
８、       接続ポート；
９、       電源；
１０、    導線；
１１、導線
【図１】
0003170747.tif 000003